(57)【特許請求の範囲】
【請求項１】
車体（１０）の左右略中央部に配したミッションケース（２）と、同ケース（２）の左右外側に配置する車輪（３）の前方から上方を覆い、且つこの前端部を車両のフロア（２７）に接続するフェンダー（４）とを有するトラクタにおいて、前記フェンダー（４）とミッションケース（２）との間には所定巾の空間部（６）を形成し、該空間部（６）における前記フロア（２７）とフェンダー（４）の接続部近傍に位置するフェンダー（４）とミッションケース（２）との間をベース部材（７）で接続し、該ベース部材（７）は、樹脂を素材として左右両側板（７ａ），（７ｂ）とバッテリー（５）を載置する底板（７ｃ）とを一体的に枠組みして構成し、該底板（７ｃ）は、前後に立ち上り縁（７ｄ）を設け、バッテリー（５）を上側から挿入した状態で内部に保持できると共に立ち上り縁（７ｄ）に沿わせて取り外し可能に構成し、バッテリー（５）の着脱の際にはバッテリー（５）の上部がフェンダー（４）前面に略沿わせた状態となるように前後回動自在に構成するにあたり、ベース部材（７）は、車体（１０）の進行方向に対して横向きに設けた支点軸（８）によってフェンダー（４）とミッションケース（２）との両側から支持する構成とし、ベース部材（７）は、前記支点軸（８）から離れた部位を外側から固定ボルト（９）によってフェンダー（４）に着脱自在に係止する構成とし、バッテリー（５）の取り付け、取り外し操作において、バッテリー（５）をフロア（２７）に一旦載置させることが可能な場所にベース部材（７）を配置したことを特徴とするトラクタ。
【発明の詳細な説明】
【０００１】
【発明の属する技術分野】
この発明は、トラクタや田植機等の農業用、或いは建築、運搬用車両のバッテリー取付装置に関する。
【０００２】
【従来の技術】
従来、トラクタや田植機等は、電源としてのバッテリーを、ボンネットカバーの内側に搭載したり、操縦座席の下方空間を利用して搭載する構成であった。
【０００３】
【発明が解決しようとする課題】
しかしながら、上述した公知のバッテリー搭載例は、いずれも上側からバッテリーの取付け、取外し操作を行なう構成が一般的であった。このような従来例は、バッテリーの取外しに際して、例えば小型用トラクタの場合、バッテリーを載置するベース部材に対し、腰をかがめてバッテリーを上下方向に引き出すものであるから、高齢者や子女にとっては労力の必要な作業であり、より着脱しやすいバッテリーの取付け装置が望まれていた。
【０００４】
【課題を解決するための手段】
この発明は、上述した課題を解決するために、次の如き技術手段を講ずるものである。即ち、請求項１の発明では、車体１０の左右略中央部に配したミッションケース２と、同ケース２の左右外側に配置する車輪３の前方から上方を覆い、且つこの前端部を車両のフロア２７に接続するフェンダー４とを有するトラクタにおいて、前記フェンダー４とミッションケース２との間には所定巾の空間部６を形成し、該空間部６における前記フロア２７とフェンダー４の接続部近傍に位置するフェンダー４とミッションケース２との間をベース部材７で接続し、該ベース部材７は、樹脂を素材として左右両側板７ａ，７ｂとバッテリー５を載置する底板７ｃとを一体的に枠組みして構成し、該底板７ｃは、前後に立ち上り縁７ｄを設け、バッテリー５を上側から挿入した状態で内部に保持できると共に立ち上り縁７ｄに沿わせて取り外し可能に構成し、バッテリー５の着脱の際にはバッテリー５の上部がフェンダー４前面に略沿わせた状態となるように前後回動自在に構成するにあたり、ベース部材７は、車体１０の進行方向に対して横向きに設けた支点軸８によってフェンダー４とミッションケース２との両側から支持する構成とし、ベース部材７は、前記支点軸８から離れた部位を外側から固定ボルト９によってフェンダー４に着脱自在に係止する構成とし、バッテリー５の取り付け、取り外し操作において、バッテリー５をフロア２７に一旦載置させることが可能な場所にベース部材７を配置したことを特徴とするトラクタとした。
【０００５】
【発明の効果】
請求項１の発明は、車両のバッテリー取付装置を以上のように構成したから、バッテリーを取外すときには、ベース部材７を前後に回動することで、バッテリー５は低い位置まで下がってくるので、バッテリー５自体をつかみやすい状態に変更でき、またこの状態でバッテリー５を引き出すと近距離でフロア２７へ一旦載置できる。また、取付けの際にもフロア２７にバッテリー５を準備し、これをベース部材７の底板７ｃの立ち上り縁７ｄに沿わせて差し込むことができるので位置決めしやすく、上下方向に抜き差しする構成と比較して、小力でバッテリーの交換作業を行なうことができる。
また、バッテリー５を底板７ｃの立ち上り縁７ｄに沿わせて引き出すと近距離でフロア２７へ一旦載置でき、従来のように、上下方向に高く持ち上げたり、下ろしたりする持ち運びの必要がなく、小力でバッテリーの交換作業を行なうことができる。
【０００６】
【発明の実施の形態】
以下、この発明の実施の形態について、農業用トラクタ（以下、トラクタ１０）について説明する。
トラクタ１０は、図１、図２及び図３に示すように、走行車体の前部に、ハンドル１１によってタイロッド３３、ナックルアーム３２を介して操舵される前輪１２を軸架し、後部に後輪３（「車輪３」に相当する。）を設けて構成している。そして、後輪３は、この前方から上方へかけてフェンダー４によって覆われ、泥土の飛散を防止する構成としている。また前記フェンダー４，４の左右前端部は、フロア２７の後端にボルトナットなどの固定具により接続されている。
【０００７】
トラクタ１０のエンジン１３は、車体の前部に開閉自由に設けているボンネットカバー１４によって覆われたエンジンルームに内装して搭載しており、走行ミッション装置１５に回転動力を伝動する構成としている。
エンジン後方の燃料タンク８０は、操縦座席１の前側でボンネットカバー８２の下側に搭載している。そして、燃料計８３は、透明なホース８４の両端部を前記燃料タンク８０の上端部と下端部とにそれぞれ連通して取り付けて「油面計」方式に構成している。
【０００８】
そして、燃料計８３は、操縦座席１の前側に配置している操作パネル８５の下方に縦方向に形成したスリット８６に内側から臨ませ、オペレータが見える構成にしている。なお、前記透明なホース８４は、全体が透明である必要はなく、スリット８６に臨ませる部分が透明であればよい。
以上述べたように、操作パネル８５の下方にスリット８６を通して燃料の量を目視できる透明ホース８４からなる燃料計８０を構成したので、作業中に燃料の残量を容易に確認することができると共に燃料計を安価に構成することができる。
【０００９】
前記ステアリングハンドル１１の下方には、左右後輪３，３を夫れ夫れ独立して制動するブレーキペダル３４を設け、同ペダル３４を踏み込むことで、ミッションケース側部に配したブレーキロッド３７を前後操作しブレーキアームを前後回動する構成となっている。尚、このブレーキロッド３７は前記タイロッド３３と共用部品にて構成している。
【００１０】
つぎに、バッテリー５の取付装置１６を説明する。
まず、バッテリー５を取り付ける取付空間部６は、図４及び図５に示すように、鋳物製のミッションケース２とその左右外側に縦方向に配設されるフェンダー４の内壁との間に所定巾を隔てて形成している。
そして、バッテリーベース７は、鉄板、或いは、樹脂を素材として左右両側板７ａ、７ｂと、バッテリー５を載置する底板７ｃとを一体的に枠組みして構成している。そして、底板７ｃは、前後に立上り縁７ｄを設け、バッテリー５を上側から挿入した状態で内部に収納して保持できる構成にしている。そして、固定杆１７は、下端係止部を前記底板７ｃに係合して連結し、上端部をバッテリー５の上面肩部にねじ締めして押し当て、バッテリー５を固定する構成としている。なお、固定杆１７は、バッテリーベース７の前後両側に設けている。
【００１１】
さて、上記の如く、バッテリー５を保持可能に構成したバッテリーベース７は、バッテリー５の取付空間部６において、走行車体１０の進行方向に対して横向きに設けた支点軸８によって、フェンダー４と、ミッションケース２との両側から支持し、前後回転自由に構成している。そして、バッテリーベース７は、前記支点軸８から離れた部位を、外側から固定ボルト９（固定具）によってフェンダー４に着脱自在に係止する構成としている。そして、バッテリーベース７は、上述のように取り付けると、充填しているバッテリー液が安定するように、バッテリー５を略水平状態に保持することができる。
【００１２】
このように構成されたバッテリー５の取付装置１６は、通常、図４の実線のように、バッテリーベース７にバッテリー５を取り付け、バッテリー５を電源として使用しながら作業を行なっている。
つぎに、バッテリー５を取外してメンテナンスを行なう場合には、まず、フェンダー４の外側（図１参照）から固定ボルト９を外す。すると、バッテリーベース７は、支点軸８を支点にして、図４の仮想線で示すように、バッテリー上部をフェンダー前面に略沿う状態で回動して傾き、前記固定杆１７を外し、バッテリー５を前記立上り縁７ｄに沿わせて取り出すことができる。
【００１３】
このように、バッテリー５は、取り付け、取り外し操作において、比較的近距離でフロア２７へ一旦載置したり準備できるので、従来のように、上下方向に高く持ち上げたり、下ろしたりする持ち運びの必要がなく、バッテリーケース７が支点軸８を中心に回動して低い位置まで下がってくるから、楽に取外しができる特徴を有するものである。
【００１４】
その上に加えて、バッテリーのメンテナンスにあたり、従来のように、操縦座席１のシートやその下側にあるカバー類の取外しをする必要がなく、操作が楽にできる特徴もある。
【図面の簡単な説明】
【図１】  トラクタの全体側面図である。
【図２】  トラクタの前輪操向部の上面図である。
【図３】  ミッションケースの側面図である。
【図４】  本発明のバッテリー取付装置の側面図である。
【図５】  本発明のバッテリー取付装置の正面図である。
【符号の説明】
１０    走行車体（トラクタ）
２    ミッションケース
３    車輪（後輪）
４    フェンダー
５    バッテリー
６    取付空間部
７    バッテリーベース
８    支点軸
９    固定具（固定ボルト）
【図１】
0004186310.tif 000002
【図２】
0004186310.tif 000003
【図３】
0004186310.tif 000004
【図４】
0004186310.tif 000005
【図５】
0004186310.tif 000006